(57)【要約】【課題】長期に渡って除菌効果を持続させることが可能な遊技機用の除菌装置の提供。【解決手段】遊技機用の除菌装置１は、遊技機３において遊技者が操作する操作部５に対して、紫外線を照射する紫外線照射部２３，２３を備える。紫外線照射部２３は、例えば、深紫外線ＬＥＤによって構成される。このように構成された遊技機用の除菌装置１によれば、紫外線照射部２３，２３から操作部５に対して紫外線を照射することにより、操作部５の除菌を図ることができる。したがって、操作部５そのものに抗菌性材料を適用した技術とは異なり、抗菌性材料の摩耗や溶出に起因して除菌効果が低下することはなく、より長期に渡って初期状態と同等な除菌効果を持続させることができる。【選択図】図１
2015221085.tif 000002
【特許請求の範囲】
【請求項１】
遊技機において遊技者が操作する操作部に対して、紫外線を照射する紫外線照射部
を備える遊技機用の除菌装置。
【請求項２】
前記紫外線照射部が、前記操作部に対して、当該操作部の外部から紫外線を照射可能な位置に配設されている
請求項１に記載の遊技機用の除菌装置。
【請求項３】
前記紫外線照射部が、前記操作部に対して、当該操作部の内部から紫外線を照射可能な位置に配設されている
請求項１又は請求項２に記載の遊技機用の除菌装置。
【請求項４】
前記操作部は、前記遊技機に設けられた遊技球の発射装置を作動させる際に操作されるハンドルである
請求項１〜請求項３のいずれか一項に記載の遊技機用の除菌装置。
【請求項５】
前記操作部は、前記遊技機に設けられた回胴を回転させる際、又は当該回胴の回転を停止させる際に操作されるボタン又はレバーである
請求項１〜請求項３のいずれか一項に記載の遊技機用の除菌装置。
【請求項６】
前記紫外線照射部の作動状態を、紫外線を照射するオン状態又は紫外線を照射しないオフ状態のいずれかに選択的に切り替え制御可能な制御部
を備える請求項１〜請求項５のいずれか一項に記載の遊技機用の除菌装置。
【請求項７】
前記制御部は、前記紫外線照射部を前記オフ状態から前記オン状態に切り替えたあと、所定の照射時間が経過すると、前記紫外線照射部を前記オン状態から前記オフ状態に切り替える制御を実行するように構成されている
請求項６に記載の遊技機用の除菌装置。
【請求項８】
前記操作部を操作し得る遊技者が存在する場合に、当該遊技者を検出可能な検出部を備え、
前記制御部は、前記検出部によって前記遊技者が検出されたあと、前記検出部によって前記遊技者が検出されなくなると、前記紫外線照射部を前記オフ状態から前記オン状態に切り替える制御を実行するように構成されている
請求項６又は請求項７に記載の遊技機用の除菌装置。
【請求項９】
前記制御部は、前記紫外線照射部が前記オン状態にある場合に、前記検出部によって前記遊技者が検出されると、前記紫外線照射部を前記オン状態から前記オフ状態に切り替える制御を実行するように構成されている
請求項８に記載の遊技機用の除菌装置。
【請求項１０】
前記紫外線照射部が紫外線を照射する状態にある場合に、除菌中である旨を表示する表示部
を備える請求項１〜請求項９のいずれか一項に記載の遊技機用の除菌装置。
【発明の詳細な説明】
【技術分野】
【０００１】
本発明は、遊技機用の除菌装置に関する。
【背景技術】
【０００２】
遊技機において遊技者が操作する操作部は、不特定多数の遊技者が触れるため、雑菌が繁殖しやすい状態にある。そのため、その対策として、操作部の一部又は全部を各種抗菌性材料で形成したり、抗菌性材料でコーティングしたりする技術が提案されている（例えば、特許文献１参照。）。特許文献１に記載の技術では、操作部の一部又は全部が、光触媒性無機抗菌物質を含有した光触媒含有材料により形成される。
【先行技術文献】
【特許文献】
【０００３】
【特許文献１】特開２０００−１８５１３８号公報
【発明の概要】
【発明が解決しようとする課題】
【０００４】
しかし、操作部の表面が抗菌性材料でコーティングされている場合、操作部が操作されるたびに抗菌性材料の被膜が摩耗し得るため、相応に除菌効果は低下する。また、抗菌性材料が配合された抗菌性樹脂で操作部を形成した場合でも、経時変化で操作部表面の抗菌性成分が溶出し得るため、相応に除菌効果が低下する。つまり、上述のような技術では、長期に渡って除菌効果を持続させることは困難であった。
【０００５】
以上のような事情から、長期に渡って除菌効果を持続させることが可能な遊技機用の除菌装置を提供することが望ましい。
【課題を解決するための手段】
【０００６】
以下に説明する遊技機用の除菌装置は、遊技機において遊技者が操作する操作部に対して、紫外線を照射する紫外線照射部を備える。
このように構成された遊技機用の除菌装置によれば、紫外線照射部から操作部に対して紫外線を照射することにより、操作部の除菌を図ることができる。したがって、操作部そのものに抗菌性材料を適用した技術とは異なり、抗菌性材料の摩耗や溶出に起因して除菌効果が低下することはなく、より長期に渡って初期状態と同等な除菌効果を持続させることができる。
【０００７】
なお、操作部上で遊技者が触れ得る範囲は紫外線の照射対象範囲となり得るが、そのような範囲全体に対して紫外線照射部から紫外線を照射可能に構成することは必須ではない。すなわち、上述のような範囲のうち、一部の領域だけの照射対象範囲となっていてもよく、この場合でも、上記一部の領域では除菌効果を期待することができる。
【０００８】
以上のような遊技機用の除菌装置は、更に以下に挙げるような構成を備えていてもよい。
まず、上記遊技機用の除菌装置は、前記紫外線照射部が、前記操作部に対して、当該操作部の外部から紫外線を照射可能な位置に配設されていてもよい。
【０００９】
このように構成された遊技機用の除菌装置によれば、操作部の外部から紫外線を照射できるので、操作部が紫外線透過性の低い材料（すなわち、紫外線に対して不透明ないし透明度が低い材料。）で形成されている場合でも、何ら問題なく操作部外面の除菌を図ることができる。
【００１０】
また、上記遊技機用の除菌装置は、前記紫外線照射部が、前記操作部に対して、当該操作部の内部から紫外線を照射可能な位置に配設されていてもよい。
このように構成された遊技機用の除菌装置によれば、紫外線照射部が操作部の内部に配置されるので、紫外線照射部の配設場所を操作部の外部において確保しなくても済み、除菌装置を含む操作部周辺の構造をコンパクトにすることができる。なお、紫外線照射部が操作部の内部に配置される場合、操作部外面の除菌を図るには、紫外線（特に除菌効果の高い深紫外線。）に対する耐性及び透過性が高い透明ガラスや透明樹脂によって操作部の一部又は全部を形成したり、紫外線が透過するスリットや孔を設けたりすることで、操作部外面に紫外線が到達するように構成すればよい。あるいは、操作部の内部から照射される紫外線を操作部の外部で反射させることで、所期の照射対象範囲に紫外線を照射してもよい。
【００１１】
また、操作部には、遊技機上で遊技者が操作し得る全ての操作対象が含まれるが、代表的な例を挙げれば、例えば、遊技媒体として遊技球を用いる弾球遊技機（ぱちんこ遊技機、アレンジボール遊技機、及びじやん球遊技機。）の場合、前記操作部は、前記遊技機に設けられた遊技球の発射装置を作動させる際に操作されるハンドルであってもよい。
【００１２】
あるいは、遊技媒体として遊技メダルを用いる回胴式遊技機の場合、前記操作部は、前記遊技機に設けられた回胴を回転させる際、又は当該回胴の回転を停止させる際に操作されるボタン又はレバーであってもよい。
【００１３】
また、上記遊技機用の除菌装置は、前記紫外線照射部の作動状態を、紫外線を照射するオン状態又は紫外線を照射しないオフ状態のいずれかに選択的に切り替え制御可能な制御部を備えていてもよい。
【００１４】
このように構成された遊技機用の除菌装置によれば、紫外線を照射する状態と照射しない状態を制御部が切り替えるので、人手によるオン・オフ操作が必須となる構成に比べ、容易に運用することができる。
【００１５】
また、上記遊技機用の除菌装置において、前記制御部は、前記紫外線照射部を前記オフ状態から前記オン状態に切り替えたあと、所定の照射時間が経過すると、前記紫外線照射部を前記オン状態から前記オフ状態に切り替える制御を実行するように構成されていてもよい。
【００１６】
このように構成された遊技機用の除菌装置によれば、人手によるオン・オフ操作が必須となる構成とは異なり、オフ操作を忘れたまま紫外線を照射し続けてしまう、といったトラブルが発生するのを防止ないし抑制することができる。
【００１７】
また、上記遊技機用の除菌装置は、前記操作部を操作し得る遊技者が存在する場合に、当該遊技者を検出可能な検出部を備え、前記制御部は、前記検出部によって前記遊技者が検出されたあと、前記検出部によって前記遊技者が検出されなくなると、前記紫外線照射部を前記オフ状態から前記オン状態に切り替える制御を実行するように構成されていてもよい。
【００１８】
このように構成された遊技機用の除菌装置によれば、遊技者が検出された場合には、その後、遊技者が検出されなくなった時点以降に紫外線の照射が開始される。したがって、遊技者が操作部を操作した可能性がある場合には、直ちに除菌がなされることになり、雑菌が繁殖してしまう前に効率よく除菌を図ることができる。
【００１９】
また、上記遊技機用の除菌装置において、前記制御部は、前記紫外線照射部が前記オン状態にある場合に、前記検出部によって前記遊技者が検出されると、前記紫外線照射部を前記オン状態から前記オフ状態に切り替える制御を実行するように構成されていてもよい。
【００２０】
このように構成された遊技機用の除菌装置によれば、紫外線の照射中に操作部を操作し得る遊技者が検出された場合には、紫外線の照射を中止して、遊技者に対して紫外線が照射されるのを防止ないし抑制することができる。
【００２１】
また、上記遊技機用の除菌装置は、前記紫外線照射部が紫外線を照射する状態にある場合に、除菌中である旨を表示する表示部を備えていてもよい。
このように構成された遊技機用の除菌装置によれば、操作部の除菌が実施されていることを遊技者に対して報知することができる。したがって、このような表示部が設けられていない場合に比べ、除菌装置によって操作部が衛生的に管理されている旨を遊技者に対して訴求することができる。
【図面の簡単な説明】
【００２２】
【図１】第一実施形態の遊技機用の除菌装置及び遊技機等を示す正面図。
【図２】（Ａ）は遊技機用の除菌装置の使用状態を示す平面図、（Ｂ）は遊技機用の除菌装置の待機状態を示す平面図。
【図３】遊技機用の除菌装置及び遊技機等を示すブロック図。
【図４】遊技機用の除菌装置において実行される処理のフローチャート。
【図５】第二実施形態の遊技機用の除菌装置及び遊技機等を示す正面図。
【図６】（Ａ）は遊技機用の除菌装置の上下角調整機能を示す説明図、（Ｂ）は遊技機用の除菌装置の高さ調整機能示す説明図、（Ｃ）は遊技機用の除菌装置の奥行き位置調整機能示す説明図。
【図７】第三実施形態の遊技機用の除菌装置及び遊技機等を示す正面図。
【図８】（Ａ）は第四実施形態の遊技機用の除菌装置及び遊技機等を示す正面図、（Ｂ）は第四実施形態の遊技機用の除菌装置及び遊技機等を示す右側面図。
【図９】（Ａ）は第五実施形態の遊技機用の除菌装置の使用状態を示す右側面図、（Ｂ）は第五実施形態の遊技機用の除菌装置の待機状態を示す右側面図。
【図１０】第六実施形態の遊技機用の除菌装置及び遊技機等を示す正面図。
【図１１】（Ａ）は第七実施形態の遊技機用の除菌装置及び遊技機等を示す正面図、（Ｂ）は第七実施形態の遊技機用の除菌装置及び遊技機等を示す右側面図。
【図１２】（Ａ）は第八実施形態の遊技機用の除菌装置及び遊技機等を示す正面図、（Ｂ）は第八実施形態の遊技機用の除菌装置及び遊技機等を示す右側面図。
【図１３】第九実施形態の遊技機用の除菌装置及び遊技機等を示す正面図。
【図１４】（Ａ）は第十実施形態の遊技機用の除菌装置及び遊技機等を示す正面図、（Ｂ）は第十実施形態の遊技機用の除菌装置及び遊技機等を示す右側面図。
【図１５】（Ａ）は第十一実施形態の遊技機用の除菌装置（待機状態）及び遊技機等を示す正面図、（Ｂ）は第十一実施形態の遊技機用の除菌装置（待機状態）及び遊技機等を示す右側面図。
【図１６】（Ａ）は第十一実施形態の遊技機用の除菌装置（使用状態）及び遊技機等を示す正面図、（Ｂ）は第十一実施形態の遊技機用の除菌装置（使用状態）及び遊技機等を示す右側面図。
【図１７】（Ａ）は第十二実施形態の遊技機用の除菌装置（使用状態）及び遊技機等を示す正面図、（Ｂ）は第十二実施形態の遊技機用の除菌装置（使用状態）及び遊技機等を示す右側面図。
【発明を実施するための形態】
【００２３】
次に、上述の遊技機用の除菌装置について、例示的な実施形態を挙げて説明する。
〔１〕第一実施形態
［遊技機用の除菌装置の構成］
図１に示すように、以下に説明する遊技機用の除菌装置１は、遊技機３が備えるハンドル５に対する除菌処理を実施可能な装置である。ハンドル５は、遊技機３において遊技球を発射する際に遊技者が手をかけて操作する部分である。なお、本実施形態において、遊技機３の上方には、呼出ランプ機能及び出玉情報表示機能などを兼ね備えた遊技情報表示装置７が配設されている。遊技機３の下方には玉箱載置台９が配設されている。除菌装置１は、遊技機３とは別体に構成されて、玉箱載置台９の上側に設置されている。
【００２４】
除菌装置１は、玉箱載置台９に対して固定される基部１１と、基部１１の上面側において上下方向に延びる仮想的な軸線を中心に回動可能に構成された回動部１３と、回動部１３から延出する腕部１５と、腕部１５の上端に取り付けられたフード部１７とを有する。
【００２５】
これらのうち、基部１１には、遊技機３の正面側にある座席（図示略）に遊技者が着座したときに、そのような位置に存在する遊技者を検出可能な人感センサー２１が設けられている。本実施形態において、人感センサー２１は焦電型赤外線センサーによって構成されている。
【００２６】
回動部１３は、図２（Ａ）及び図２（Ｂ）に示すように、円板状に形成され、平面視で円形に見える向きにして、基部１１に対して回動可能に取り付けられている。腕部１５の下端は、回動部１３の回転中心から外れた位置において回動部１３に接合され、その接合箇所から上方かつ遠心方向へ斜めに延びている。
【００２７】
フード部１７は、円筒の一部に相当する形状で、平面視で円弧状に見える向きにして腕部１５の上端に接合されている。これら回動部１３、腕部１５、及びフード部１７は一体的に回動可能で、これらが基部１１に対して相対的に回動することにより、図２（Ａ）に示す使用位置と図２（Ｂ）に示す待機位置との間で変位する。
【００２８】
フード部１７の高さ方向中央付近、かつ水平方向両端付近には、深紫外線ＬＥＤ２３，２３（本明細書でいう紫外線照射部の一例に相当。）が配設されている。深紫外線ＬＥＤ２３は、除菌効果を有する波長２５０−２７０ｎｍ辺りの紫外線を発生させるＬＥＤである。フード部１７が使用位置にある場合、図１及び図２（Ａ）に示す通り、フード部１７はハンドル５に対向する位置に配置され、この状態で深紫外線ＬＥＤ２３は図２（Ａ）に二点鎖線で示す照射方向に向かって紫外線を照射し、この紫外線がハンドル５に照射される。
【００２９】
以上のような構成の他、除菌装置１には、図３に示すように、制御部２５、モーター２６、及び外部入出力インターフェース２７，２８などが設けられている。モーター２６は、図示しない歯車機構を介して回動部１３へ動力を伝達可能に構成されている。制御部２５は、モーター２６を制御して回動部１３を使用位置及び待機位置のいずれかへと変位させる。
【００３０】
また、除菌装置１と連携する構成として、遊技機３には、制御部３１、及び外部入出力インターフェース３３などが設けられている。また、遊技情報表示装置７には、制御部３５、液晶ディスプレイ装置３７、及び外部入出力インターフェース３９などが設けられている。なお、遊技機３及び遊技情報表示装置７は、上記各構成以外にも、除菌装置１とは連携しない各種構成を備えているが、この種の遊技機３及び遊技情報表示装置７それぞれが備える構成については周知なので、本明細書での説明は省略する。
【００３１】
遊技機３の制御部３１は、外部入出力インターフェース３３を介して外部の機器に対してアウト玉信号及びセーフ玉信号を出力する。アウト玉信号は、例えば、遊技機３において１０個のアウト玉がカウントされるたびに出力される信号である。セーフ玉信号は、例えば、遊技機３において１０個のセーフ玉がカウントされるたびに出力される信号である。除菌装置１の制御部２５は、外部入出力インターフェース２７を介してこれらのアウト玉信号及びセーフ玉信号を入力するように構成される。
【００３２】
本実施形態において、除菌装置１の制御部２５は、上述のアウト玉信号及びセーフ玉信号を、遊技者ありか否かを判断する際に利用する。具体的には、遊技機３からアウト玉信号及びセーフ玉信号のいずれかが出力されていれば、遊技機３が稼働中であると考えられるので、その場合は、遊技機の前に遊技者が存在するものと推定できる。そこで、除菌装置１の制御部２５は、後述する処理の中で、遊技機３からアウト玉信号及びセーフ玉信号のいずれかが出力されていれば、遊技者ありと判断する。
【００３３】
また、除菌装置１の制御部２５は、外部入出力インターフェース２８を介して遊技情報表示装置７に対してメッセージ表示コマンドとメッセージ消去コマンドを送信する。遊技情報表示装置７は、これらのコマンドを外部入出力インターフェース３９を介して受信する。遊技情報表示装置７には、除菌装置１と連携するための機能として、ハンドル５の除菌中である旨のメッセージを液晶ディスプレイ装置３７に表示する機能が組み込まれている。除菌装置１の制御部２５は、メッセージ表示コマンド及びメッセージ消去コマンドそれぞれを送信することにより、液晶ディスプレイ装置３７におけるメッセージの表示及び消去を制御することができる。
【００３４】
［紫外線照射処理］
次に、除菌装置１の制御部２５が実行する紫外線照射処理について、図４に基づいて説明する。この紫外線照射処理は、除菌装置１の電源スイッチがオンにされると開始され、その後、除菌装置１の電源スイッチがオフにされるまで繰り返し実行される処理である。
【００３５】
紫外線照射処理を開始すると、制御部２５は、まず、遊技者ありか否かを判断する（Ｓ１）。Ｓ１において、制御部２５は、人感センサー２１による検出結果と遊技機３からの出力信号の双方に基づいて遊技者ありか否かを判断する。具体的には、人感センサー２１によって遊技機３の前に存在する人が検出されている場合には、Ｓ１において遊技者ありと判断する。また、遊技機３からアウト玉信号及びセーフ玉信号のいずれかが出力されている場合には、Ｓ１において遊技者ありと判断する。
【００３６】
これら二種類の判断はオア条件で判断され、いずれか一方の条件が満たされていれば遊技者ありと判断する。換言すれば、Ｓ１においては、人感センサー２１によって遊技機３の前に存在する人が検出されておらず、かつ、遊技機３からアウト玉信号及びセーフ玉信号のどちらも出力されていない、という場合にのみ、遊技者なしとの判断がなされる。
【００３７】
Ｓ１において遊技者なしとの判断がなされた場合は（Ｓ１：ＮＯ）、Ｓ１へと戻り、遊技者なしとの判断が続く限りＳ１の判断を繰り返す。一方、Ｓ１において遊技者ありとの判断がなされた場合は（Ｓ１：ＹＥＳ）、Ｓ２へと進み、制御部２５は、遊技者なしか否かを判断する（Ｓ２）。Ｓ２の判断条件はＳ１と同一であり、制御部２５は、人感センサー２１による検出結果と遊技機３からの出力信号の双方に基づいて遊技者ありか否かを判断する。
【００３８】
通常、Ｓ１からＳ２へ移行した直後は、遊技者ありと判断された直後に相当するので、Ｓ２では遊技者ありとの判断がなされることになる。そのため、この場合は（Ｓ２：ＮＯ）、Ｓ２へと戻り、遊技者ありとの判断が続く限りＳ２の判断を繰り返す。一方、Ｓ２において遊技者なしとの判断がなされた場合は（Ｓ２：ＹＥＳ）、Ｓ３へと進む。詳しくは、人感センサー２１によって遊技機３の前に存在する人が検出されておらず、かつ、遊技機３からアウト玉信号及びセーフ玉信号のどちらも出力されていない、という状況に至った場合、Ｓ２において遊技者なしとの判断がなされて、Ｓ３へと進む。
【００３９】
Ｓ３へ進むと、制御部２５は、タイマーをセットする（Ｓ３）。これにより、タイマーによる計時が開始される。続いて、制御部２５は、深紫外線ＬＥＤ２３，２３をオンにする（Ｓ４）。これにより、深紫外線ＬＥＤ２３，２３からハンドル５に向かって紫外線が照射され、ハンドル５に対する除菌処理が行われる。また、制御部２５は、外部入出力インターフェース２８を介して遊技情報表示装置７に対してメッセージ表示コマンドを送信することにより、遊技情報表示装置７の液晶ディスプレイ装置３７に除菌中メッセージを表示する（Ｓ５）。すなわち、制御部２５は遊技情報表示装置７に対してメッセージ表示コマンドを送信し、そのコマンドを受信した遊技情報表示装置７の制御部３５は、液晶ディスプレイ装置３７に除菌中メッセージを表示する。これにより、遊技情報表示装置７の液晶ディスプレイ装置３７には、例えば図１に示したようなメッセージが表示され、ハンドル５に対する除菌処理が行われている旨を遊技者に対してアピールすることができる。
【００４０】
除菌処理が開始された後、制御部２５は、遊技者ありか否かを判断し（Ｓ６）、Ｓ６で遊技者なしとの判断がなされた場合は（Ｓ６：ＮＯ）、タイマーセット後に所定時間が経過したか否かを判断する（Ｓ７）。そして、Ｓ７で所定時間が経過していないとの判断がなされた場合は（Ｓ７：ＮＯ）、Ｓ６へと戻る。これにより、Ｓ６及びＳ７で否定判断が続く限りＳ６及びＳ７の判断を交互に繰り返すことになる。
【００４１】
一方、Ｓ６において遊技者ありとの判断がなされた場合（Ｓ６：ＹＥＳ）、又はＳ７において所定時間が経過したとの判断がなされた場合（Ｓ７：ＹＥＳ）、制御部２５は、深紫外線ＬＥＤ２３，２３をオフにする（Ｓ８）。これにより、深紫外線ＬＥＤ２３，２３からの紫外線照射は停止され、ハンドル５に対する除菌処理が終了する。
【００４２】
すなわち、ハンドル５に対する除菌処理は、Ｓ６で遊技者ありとの判断がなされた場合には、所定時間が経過する前でも中断する。また、Ｓ７で所定時間が経過したとの判断がなされた場合には、十分な除菌処理が行われたと考えられるので、遊技者の有無を問わず終了する。なお、Ｓ７の判断条件はＳ１，Ｓ２と同一であり、制御部２５は、人感センサー２１による検出結果と遊技機３からの出力信号の双方に基づいて遊技者ありか否かを判断する。
【００４３】
そして、制御部２５は、外部入出力インターフェース２８を介して遊技情報表示装置７に対してメッセージ消去コマンドを送信することにより、遊技情報表示装置７の液晶ディスプレイ装置３７に表示されていた除菌中メッセージを消去する（Ｓ９）。すなわち、制御部２５は遊技情報表示装置７に対してメッセージ消去コマンドを送信し、そのコマンドを受信した遊技情報表示装置７の制御部３５は、液晶ディスプレイ装置３７に表示されていた除菌中メッセージを消去する。
【００４４】
こうしてＳ９を終えたらＳ１へと戻る。なお、上述のＳ６で肯定判断がなされた直後は、通常は遊技者ありと判断される状況なので、Ｓ１へと戻ると引き続きＳ２へと進むことになる。一方、上述のＳ７で肯定判断がなされた直後は、通常は遊技者なしと判断される状況なので、Ｓ１へと戻ると、Ｓ１において遊技者ありとの判断がなされるまで、Ｓ１の判断を繰り返すことになる。つまり、Ｓ９を終えてＳ１へ戻った場合でも、上述のＳ６で肯定判断がなされた場合と、Ｓ７で肯定判断がなされた場合とでは、直ちにＳ２まで進んでしまうか否かという点で挙動に若干の違いが生ずることになる。
【００４５】
［効果］
以上のような遊技機用の除菌装置１によれば、深紫外線ＬＥＤ２３，２３からハンドル５に対して紫外線を照射することにより、ハンドル５の除菌を図ることができる。したがって、ハンドル５そのものに抗菌性材料を適用した技術とは異なり、抗菌性材料の摩耗や溶出に起因して除菌効果が低下することはなく、より長期に渡って初期状態と同等な除菌効果を持続させることができる。
【００４６】
また、上記除菌装置１によれば、ハンドル５の外部から紫外線を照射できるので、ハンドル５が紫外線透過性の低い材料で形成されている場合でも、何ら問題なくハンドル５外面の除菌を図ることができる。
【００４７】
また、上記除菌装置１によれば、紫外線を照射する状態と照射しない状態を制御部２５が切り替えるので、人手によるオン・オフ操作が必須となる構成に比べ、容易に運用することができる。
【００４８】
特に、上記除菌装置１の場合、上述のＳ３，Ｓ７，及びＳ８によって所定時間経過後に紫外線照射を終了するので、人手によるオン・オフ操作が必須となる構成とは異なり、オフ操作を忘れたまま紫外線を照射し続けてしまう、といったトラブルが発生するのを防止ないし抑制することができる。
【００４９】
また、上述のＳ１，Ｓ２，及びＳ４により、遊技者が検出された場合には、その後、遊技者が検出されなくなった時点以降に紫外線の照射が開始される。したがって、遊技者がハンドル５を操作した可能性がある場合には、直ちに除菌がなされることになり、雑菌が繁殖してしまう前に効率よく除菌を図ることができる。
【００５０】
また、上記除菌装置１によれば、上述のＳ６及びＳ８により、紫外線の照射中にハンドル５を操作し得る遊技者が検出された場合には、紫外線の照射を中止するので、遊技者に対して紫外線が照射されるのを防止ないし抑制することができる。
【００５１】
さらに、上記除菌装置１によれば、上述のＳ５により、ハンドル５の除菌が実施されていることを遊技者に対して報知することができる。したがって、このような液晶ディスプレイ装置３７が設けられていない場合に比べ、除菌装置１によってハンドル５が衛生的に管理されている旨を遊技者に対して訴求することができる。
【００５２】
［第一実施形態の変形例等］
上記第一実施形態では、回動部１３をモーター２６で駆動する旨を説明したが、回動部１３は手動で回動させることができるように構成されていてもよい。
【００５３】
上記第一実施形態では、フード部１７に二つの深紫外線ＬＥＤ２３，２３が設けられている旨を説明したが、深紫外線ＬＥＤ２３をいくつ設けるかは任意である。
上記第一実施形態では、フード部１７の具体的形状として、円筒の一部に相当する形状である旨、及び平面視で円弧状に見える旨を説明したが、フード部１７の形状も任意である。例えば、フード部１７の形状は、半球状に形成されていてもよいし、凹面鏡上に形成されていてもよいし、これら以外の形状であってもよい。
【００５４】
上記第一実施形態において、上記Ｓ１，Ｓ２，Ｓ６では、人感センサー２１による検出結果と遊技機３からの出力信号の双方に基づいて遊技者ありか否かを判断していたが、人感センサー２１による検出結果のみに基づいて遊技者ありか否かを判断してもよい。あるいは、遊技機３からの出力信号のみに基づいて遊技者ありか否かを判断してもよい。あるいは、人感センサー２１や遊技機３からの出力信号とは別の判断条件を利用して遊技者ありか否かを判断してもよい。
【００５５】
例えば、遊技機の前にある座席に遊技者が着座したときに、その座席に組み込まれた感圧センサーで遊技者が着座したことを検出し、遊技者ありと判断してもよい。あるいは、遊技機又は遊技機間に設けられた台間玉貸機などに会員カードやプリペイドカードなどのカード類が挿し込まれたことをもって、遊技者ありと判断することもできる。これら別の判断条件は、上述の人感センサー２１や遊技機３からの出力信号と組み合わせて、遊技者ありか否かを判断する際に利用してもよい。また、このように多数の判断条件を用いる場合は、多数の判断条件のうち、いくつか以上が成立したら利用者ありと判断するようにしてもよい。
【００５６】
上記第一実施形態においては、遊技情報表示装置７の液晶ディスプレイ装置３７に除菌中である旨のメッセージを表示していたが、遊技情報表示装置７と連携するように構成するか否かは任意である。すなわち、除菌中である旨のメッセージを表示するに当たっては、遊技情報表示装置７が備える液晶ディスプレイ装置３７以外の表示装置を利用してもよく、例えば、遊技情報表示装置７とは別に、除菌装置１が専用の表示装置を備えていてもよいし、遊技機３が備える液晶ディスプレイ装置を利用可能であれば利用してもよい。また、そのような表示装置は、液晶ディスプレイ装置でなくてもよく、例えば、回転可能なメッセージプレートの表裏のうち、一方にメッセージが記述されていて、表裏を回転させることで、メッセージが表示されたり消去されたりするような表示器を用いてもよい。
【００５７】
〔２〕第二実施形態
次に、第二実施形態について説明する。なお、第二実施形態以降の実施形態は、第一実施形態と共通部分が多いので、第一実施形態との相違点を中心に詳述し、共通部分に関しては、第一実施形態と同じ符号を付すことにして、第一実施形態と重複する説明を省略する。
【００５８】
第一実施形態の除菌装置１は、フード部１７がハンドル５の正面に来るように構成してあったが、図５に示すように、第二実施形態の除菌装置４１において、フード部１７は、ハンドル５の側面に配置されるように構成されている。フード部１７の内周側には、二つの深紫外線ＬＥＤ２３，２３が配設され、それぞれ図５に二点鎖線で示す照射方向に向かって紫外線を照射し、この紫外線がハンドル５に照射される。
【００５９】
また、除菌装置４１は、図６（Ａ）に示すように、フード部１７の上下角（仰俯角）を調整する角度調整部４３と、図６（Ｂ）に示すように、フード部１７の高さ位置を調整する伸縮ロッド４５と、図６（Ｃ）に示すように、フード部１７の前後位置を変更可能に構成されたスライドレール部４７とを備えている。
【００６０】
このように構成された除菌装置４１でもハンドル５に対する除菌処理を実施できる。また、このような除菌装置４１であれば、遊技機３が備えるハンドル５の位置に応じて、フード部１７の上下角（仰俯角）、高さ位置、及び前後位置を最適な状態に調整することができる。
【００６１】
〔３〕第三実施形態
図７に示すように、第三実施形態の除菌装置５１は、フード部１７の高さ位置を調整する伸縮ロッド５３と、フード部１７の左右位置を変更可能に構成されたスライドレール部５５とを備えている。スライドレール部５５に沿ってフード部１７を左方へ移動させると、フード部１７は、ハンドル５の上方、下方、前方、及び右方を囲む位置に配置される。この状態で、フード部１７においてハンドル５と対向する箇所にある深紫外線ＬＥＤ（図示略。）をオンにすると、ハンドル５の周囲からハンドル５に向かって紫外線を照射することができる。
【００６２】
〔４〕第四実施形態
図８（Ａ）及び図８（Ｂ）に示すように、第四実施形態の除菌装置６１は、玉箱載置台９に固定されている。また、上述の第一実施形態〜第三実施形態では、フード部１７をハンドル５の近傍に配置して、フード部１７に設けられた深紫外線ＬＥＤ２３から紫外線を照射していたが、第四実施形態では、フード部相当物を廃し、第一実施形態〜第三実施形態よりも若干遠い位置に一つの深紫外線ＬＥＤ２３を配設してある。深紫外線ＬＥＤ２３は、図８（Ａ）及び図８（Ｂ）に二点鎖線で示す照射方向に向かって紫外線を照射し、この紫外線がハンドル５に照射される。
【００６３】
このような除菌装置６１でもハンドル５に対する除菌処理を実施でき、しかも、第一実施形態〜第三実施形態のような可動機構を備えていないので、その分だけ装置の構造をコンパクトにすることができる。したがって、除菌装置６１をあえて待避位置へ移動させなくても、遊技の邪魔にはならないものとなる。
【００６４】
〔５〕第五実施形態
図９（Ａ）に示すように、第五実施形態の除菌装置７１は、第四実施形態の除菌装置６１とほぼ同様に構成されたコンパクトなもので、しかも、図９（Ｂ）に示すように、玉箱載置台９に対して収納可能に構成されている。すなわち、除菌装置７１の本体部７３は、図９（Ａ）に示す使用位置と図９（Ｂ）に示す収納位置との間で回動可能に構成されている。本体部７３が図９（Ａ）に示す使用位置にある場合、深紫外線ＬＥＤ２３は図９（Ａ）に二点鎖線で示す照射方向に向かって紫外線を照射し、この紫外線がハンドル５に照射される。
【００６５】
また、この除菌装置７１では、本体部７３が図９（Ｂ）に示す収納位置にある場合でも遊技者を検出可能とするため、人感センサー２１は、本体部７３とは別体として、玉箱載置台９に対して取り付けられている。なお、本体部７３は、モーター等からの動力で使用位置と収納位置との間で回動可能に構成されていてもよいし、手動で回動可能に構成されていてもよい。あるいは、使用位置と収納位置との間でいずれか一方から他方へ回動する際は電動式、他方から一方へ回動する際は手動式、といった組み合わせになっていてもよい。
【００６６】
このような除菌装置７１でもハンドル５に対する除菌処理を実施でき、第四実施形態と比べても、より一層、遊技者の邪魔にならないようにすることができる。
〔６〕第六実施形態
図１０に示すように、第六実施形態の除菌装置８１は、第四実施形態の除菌装置６１と同様に玉箱載置台９に固定されているものであるが、二つの深紫外線ＬＥＤ２３，２３を備えている。これら二つの深紫外線ＬＥＤ２３，２３は、それぞれ図１０に二点鎖線で示す照射方向に向かって紫外線を照射し、この紫外線がハンドル５に照射される。
【００６７】
このような除菌装置８１でもハンドル５に対する除菌処理を実施でき、第四実施形態と比べると、より広範囲に渡って紫外線を照射することができる。
〔７〕第七実施形態
図１１（Ａ）及び図１１（Ｂ）に示すように、第七実施形態の除菌装置９１は、第一実施形態〜第六実施形態とは異なり、遊技機３の一部として組み込まれている。具体的には、遊技機３が備える上皿９３の右下付近に深紫外線ＬＥＤ２３が組み込まれている。深紫外線ＬＥＤ２３は、図１１（Ａ）及び図１１（Ｂ）に二点鎖線で示す照射方向に向かって紫外線を照射し、この紫外線がハンドル５に照射されるように構成されている。
【００６８】
また、周知の通り、この種の遊技機３では、遊技者がハンドル５に触れたことを静電容量式のタッチセンサ（図示略。）で検出している。そのため、本実施形態では、遊技者がハンドル５に触れたことをタッチセンサで検出した場合に、遊技者ありと判断するように構成してある。これにより、上述の人感センサー２１を配設することなく、遊技者を検出可能としている。さらに、紫外線照射中は、図１１（Ａ）に示すように、遊技機３が備える液晶ディスプレイ装置９５に、ハンドル５の除菌中である旨のメッセージを表示する。この液晶ディスプレイ装置９５は、遊技機３での遊技中は遊技に関連する各種表示を行う表示装置であり、そのような表示装置を除菌中メッセージの表示用としても利用している。
【００６９】
このような除菌装置９１でもハンドル５に対する除菌処理を実施できる。また、第一実施形態〜第六実施形態とは異なり、遊技機３とは別に、除菌装置の設置場所を確保しなくても済むので、遊技機３とは別体の除菌装置を設置することが困難な場合に好適である。
【００７０】
〔８〕第八実施形態
図１２（Ａ）及び図１２（Ｂ）に示すように、第八実施形態の除菌装置１０１も、第七実施形態同様、遊技機３の一部として組み込まれている。ただし、除菌装置１０１では、遊技機３が備える下皿１０３の右端に深紫外線ＬＥＤ２３が組み込まれている。深紫外線ＬＥＤ２３は、図１２（Ａ）及び図１２（Ｂ）に二点鎖線で示す照射方向に向かって紫外線を照射し、この紫外線がハンドル５に照射されるように構成されている。
【００７１】
このような除菌装置１０１でもハンドル５に対する除菌処理を実施でき、遊技機３とは別体の除菌装置を設置することが困難な場合に好適なものとなる。
〔９〕第九実施形態
図１３に示すように、第九実施形態の除菌装置１１１も、第七，第八実施形態同様、遊技機３の一部として組み込まれている。第九実施形態の場合、遊技機３は上皿部分と下皿部分とが一体成形された樹脂部品１１３を備えている。この樹脂部品１１３のうち、ハンドル５に対向する箇所には、凹部１１５が形成されている。この凹部１１５の内側に二つの深紫外線ＬＥＤ２３，２３が組み込まれ、ここからハンドル５に対して紫外線を照射するように構成されている。
【００７２】
このような除菌装置１１１でもハンドル５に対する除菌処理を実施でき、遊技機３とは別体の除菌装置を設置することが困難な場合に好適なものとなる。
〔１０〕第十実施形態
図１４（Ａ）及び図１４（Ｂ）に示すように、第十実施形態の除菌装置１２１も、第七，第八，第九実施形態同様、遊技機３の一部として組み込まれている。第十実施形態の場合、ハンドル５の内部に四つの深紫外線ＬＥＤ２３，２３，２３，２３が組み込まれている。各深紫外線ＬＥＤ２３，２３，２３，２３は、図１４（Ｂ）に二点鎖線で示すように、ハンドル５内部の前方寄りの位置から斜め後方に向かって紫外線を照射する。ハンドル５において、紫外線が照射される箇所は、紫外線透過性の高い材料で形成され、ハンドル５の外面に紫外線が到達するように構成される。
【００７３】
このような除菌装置１２１でもハンドル５に対する除菌処理を実施でき、遊技機３とは別体の除菌装置を設置することが困難な場合に好適なものとなる。
〔１１〕第十一実施形態
上述の第一実施形態〜第十実施形態において、遊技機３は、弾球遊技機としての構成を備えていたが、図１５（Ａ）及び図１５（Ｂ）に示すように、第十一実施形態の除菌装置１３１は、回胴式遊技機としての構成を備える遊技機１３３の一部として組み込まれている。この遊技機１３３において、回胴の回転を停止させる際に操作されるストップボタン１３５，１３５，１３５は、回動可能に設けられた操作ブロック１３７に配設されている。
【００７４】
操作ブロック１３７は、図１５（Ａ）及び図１５（Ｂ）に示す使用位置と図１６（Ａ）及び図１６（Ｂ）に示す使用位置との間で回動可能で、操作ブロック１３７が使用位置へ回動したときにストップボタン１３５，１３５，１３５が対向する位置に、深紫外線ＬＥＤ２３が組み込まれている。深紫外線ＬＥＤ２３は、図１６（Ａ）及び図１６（Ｂ）に二点鎖線で示す照射方向に向かって紫外線を照射し、この紫外線がストップボタン１３５，１３５，１３５に照射されるように構成されている。
【００７５】
また、操作ブロック１３７上で、操作ブロック１３７が使用位置へ回動したときに遊技機１３３の正面側に露出する箇所には、メッセージ表示部１３９が設けられている。メッセージ表示部１３９には、「ストップボタン除菌中」と記述された装飾シールが貼付され、これにより、ストップボタン１３５，１３５，１３５に対する除菌処理が行われている旨を遊技者に対してアピールすることができるように構成されている。すなわち、除菌処理が行われている旨のメッセージは、先に説明した実施形態で例示したように液晶ディスプレイ装置等に表示してもよいが、メッセージ表示部１３９のように、装飾シールなどの表示物を出没させることで、利用者に対する報知ができるように構成されたものでもよい。
【００７６】
〔１２〕第十二実施形態
第十一実施形態において、操作ブロック１３７には、ストップボタン１３５，１３５，１３５を設けてあったが、第十二実施形態の除菌装置１４１は、図１７（Ａ）及び図１７（Ｂ）に示す遊技機１３３のように、スタートレバー１４３も、回動可能な操作ブロック１３７上に設け、ストップボタン１３５，１３５，１３５とともに、スタートレバー１４３の除菌ができるように構成されている。
【００７７】
〔１３〕他の実施形態
以上、遊技機用の除菌装置について、いくつかの例示的な実施形態を挙げて説明したが、本発明は、上述の例示的な実施形態に限定されるものではなく、本発明の技術的思想を逸脱しない範囲内において、様々な形態で実施することができる。
【００７８】
例えば、上記各実施形態では、弾球遊技機とは別体の除菌装置、弾球遊技機と一体に構成された除菌装置、及び回胴式遊技機と一体に構成された除菌装置などを示したが、回胴式遊技機についても、回胴式遊技機とは別体の除菌装置として構成されてもよいことはもちろんである。
【００７９】
また、上記各実施形態において、電動式となっていた箇所は、いずれも手動式となっていてもよい。また、上記各実施形態では、除菌装置として必要な構成についてのみを対象に説明を行ったが、除菌装置としての機能を損ねない構成であれば、その他の構成が任意に付設されていてもよいことはもちろんである。例えば、装飾用もしくは各種演出用のランプ類、音声出力部、映像出力部などが設けられていてもよい。
【符号の説明】
【００８０】
１…除菌装置、３…遊技機、５…ハンドル、７…遊技情報表示装置、９…玉箱載置台、１１…基部、１３…回動部、１５…腕部、１７…フード部、２１…人感センサー、２３…深紫外線ＬＥＤ、２５…制御部、２６…モーター、２７，２８…外部入出力インターフェース、２８…外部入出力インターフェース、３１…制御部、３３…外部入出力インターフェース、３５…制御部、３７…液晶ディスプレイ装置、３９…外部入出力インターフェース、４１…除菌装置、４３…角度調整部、４５…伸縮ロッド、４７…スライドレール部、５１…除菌装置、５３…伸縮ロッド、５５…スライドレール部、６１…除菌装置、７１…除菌装置、７３…本体部、８１…除菌装置、９１…除菌装置、９３…上皿、９５…液晶ディスプレイ装置、１０１…除菌装置、１０３…下皿、１１１…除菌装置、１１３…樹脂部品、１１５…凹部、１２１…除菌装置、１３１…除菌装置、１３３…遊技機、１３５…ストップボタン、１３７…操作ブロック、１３９…メッセージ表示部、１４１…除菌装置、１４３…スタートレバー。
【図１】
2015221085.tif 000003
【図２】
2015221085.tif 000004
【図３】
2015221085.tif 000005
【図４】
2015221085.tif 000006
【図５】
2015221085.tif 000007
【図６】
2015221085.tif 000008
【図７】
2015221085.tif 000009
【図８】
2015221085.tif 000010
【図９】
2015221085.tif 000011
【図１０】
2015221085.tif 000012
【図１１】
2015221085.tif 000013
【図１２】
2015221085.tif 000014
【図１３】
2015221085.tif 000015
【図１４】
2015221085.tif 000016
【図１５】
2015221085.tif 000017
【図１６】
2015221085.tif 000018
【図１７】
2015221085.tif 000019